(57)【特許請求の範囲】
【請求項１】
インストルメントパネルの内部に、表示装置の表示を前方に投影させるヘッドアップディスプレイ装置を設置して、
前記表示装置の表示を前記インストルメントパネルに形成された開口部を通して、開口部の上方に投影させるようにしたヘッドアップディスプレイ設置構造であって、
前記表示装置が、水平に対し、上面に載った異物を排除できる角度を有して傾斜配置され、
前記表示装置が、警告表示部を有し、
該警告表示部が、傾斜された前記表示装置の上側となる位置に配置されたことを特徴とするヘッドアップディスプレイ設置構造。
【請求項２】
請求項１に記載のヘッドアップディスプレイ設置構造であって、
前記表示装置がケーシング内に収容設置されると共に、
該ケーシングが前記インストルメントパネル内に前傾状態で配置されることにより、前記表示装置が傾斜配置されるようにしたことを特徴とするヘッドアップディスプレイ設置構造。
【請求項３】
請求項２に記載のヘッドアップディスプレイ設置構造であって、
前傾されたケーシングの前壁部が、ケーシングの前側に配設された空調ダクトへ向けて寄り掛かるように傾斜するダクト添設用傾斜面とされたことを特徴とするヘッドアップディスプレイ設置構造。
【請求項４】
請求項２または請求項３に記載のヘッドアップディスプレイ設置構造であって、
前傾されたケーシングの底壁部が、その下側に電子ユニットを設置可能な電子ユニット設置用傾斜面とされたことを特徴とするヘッドアップディスプレイ設置構造。
【請求項５】
請求項１ないし請求項４のいずれか１項に記載のヘッドアップディスプレイ設置構造であって、
前記開口部に、前記表示装置の表示を投影するコンバイナが開閉可能に設けられたことを特徴とするヘッドアップディスプレイ設置構造。
【請求項６】
インストルメントパネルの内部に、表示装置の表示を前方に投影させるヘッドアップディスプレイ装置を設置して、
前記表示装置の表示を前記インストルメントパネルに形成された開口部を通して、開口部の上方に投影させるようにしたヘッドアップディスプレイ設置構造であって、
前記ヘッドアップディスプレイ装置が、ヘッドアップディスプレイ装置の前側に配設された空調ダクトに対し隙間を有して傾斜配置されると共に、
前記ヘッドアップディスプレイ装置の下部が、前側に位置する前記空調ダクトの上部と下部との間の高さに設置され、
前記表示装置は、水平に対し、上面に載った異物を排除できる角度を有して傾斜配置されることを特徴とするヘッドアップディスプレイ設置構造。
【発明の詳細な説明】
【技術分野】
【０００１】
この発明は、ヘッドアップディスプレイ設置構造に関するものである。
【背景技術】
【０００２】
自動車などの車両に対してヘッドアップディスプレイ装置を取付けることが行われている（例えば、特許文献１参照）。ヘッドアップディスプレイ装置は、表示装置の表示を前方に投影させるようにしたものである。このヘッドアップディスプレイ装置の設置構造（ヘッドアップディスプレイ設置構造）には、ヘッドアップディスプレイ装置を、車室内の前部に設けられたインストルメントパネルの内部に設置して、表示装置の表示をインストルメントパネルに形成された開口部を通して運転席の前方に投影させるようにしたものがある。
【０００３】
このようなヘッドアップディスプレイ装置を用いて、運転中の乗員の視界内に情報を表示させることで、乗員は、視線移動や目の焦点調整をほとんど行うことなく表示された情報を得ることができる。
【先行技術文献】
【特許文献】
【０００４】
【特許文献１】特開２０１４−１９１３２１号公報
【特許文献２】特開２０１４−１２３０８４号公報
【発明の概要】
【発明が解決しようとする課題】
【０００５】
しかしながら、ヘッドアップディスプレイ装置をインストルメントパネルの内部に設置した場合、少なくともヘッドアップディスプレイ装置を使用している時に、インストルメントパネルに形成された開口部が開いたままの状態になると、開口部からインストルメントパネル（やヘッドアップディスプレイ装置）の内部にゴミやホコリなどの異物が入ったり、物落ちが発生したりするおそれがある。また、ゴミやホコリや落ちた物などの異物が表示装置の上を覆って、表示装置の表示を妨げるおそれがある。
【０００６】
そこで、本発明は、上記した問題点を解決することを、主な目的としている。
【課題を解決するための手段】
【０００７】
上記課題を解決するために、本発明は、
インストルメントパネルの内部に、表示装置の表示を前方に投影させるヘッドアップディスプレイ装置を設置して、
前記表示装置の表示を前記インストルメントパネルに形成された開口部を通して、開口部の上方に投影させるようにしたヘッドアップディスプレイ設置構造であって、
前記表示装置が、水平に対し、上面に載った異物を排除できる角度を有して傾斜配置され、
前記表示装置が、警告表示部を有し、
該警告表示部が、傾斜された前記表示装置の上側となる位置に配置されたことを特徴としている。
また、本発明は、
インストルメントパネルの内部に、表示装置の表示を前方に投影させるヘッドアップディスプレイ装置を設置して、
前記表示装置の表示を前記インストルメントパネルに形成された開口部を通して、開口部の上方に投影させるようにしたヘッドアップディスプレイ設置構造であって、
前記ヘッドアップディスプレイ装置が、ヘッドアップディスプレイ装置の前側に配設された空調ダクトに対し隙間を有して傾斜配置されると共に、
前記ヘッドアップディスプレイ装置の下部が、前側に位置する前記空調ダクトの上部と下部との間の高さに設置され、
前記表示装置は、水平に対し、上面に載った異物を排除できる角度を有して傾斜配置されることを特徴としている。
【発明の効果】
【０００８】
本発明によれば、上記構成によって、インストルメントパネルの開口部へ入ったゴミやホコリや落ちた物などの異物による表示の妨げを防止することができる。
また、警告表示部を、傾斜された表示装置の上側となる位置に配置するようにしたことにより、警告表示部を、開口部からケーシングの内部に入ったゴミやホコリや物などの異物によって最も隠され難いものとすることができ、他の表示と比べて警告表示部に対する視認性を高くすることができる。以って、安全性の確保にとって重要な表示に対する注意喚起機能を高めて、見逃し難くすることができる。
また、本発明によれば、ヘッドアップディスプレイ装置が、ヘッドアップディスプレイ装置の前側に配設された空調ダクトに対し隙間を有して傾斜配置されると共に、ヘッドアップディスプレイ装置の下部が、前側に位置する空調ダクトの上部と下部との間の高さに設置されたことにより、空調ダクトの内部を流れる空調用エアで空調ダクトの周囲の空気が冷やされることなどによって、傾斜配置されたヘッドアップディスプレイ装置に沿って下方から上方へ抜ける空気の流れを発生させることができるようになる。そして、この空気の流れによって、ヘッドアップディスプレイ装置が発した熱などを放熱し易くすることができる。
【図面の簡単な説明】
【０００９】
【図１】本実施の形態の実施例にかかるヘッドアップディスプレイ設置構造を示す車室前部を車両後方側から見た図である。
【図２】図１の車室前部の縦断面図である。
【図３】図１のヘッドアップディスプレイ装置の拡大図である。
【図４】図１のヘッドアップディスプレイ装置の分解斜視図である。
【図５】図１のヘッドアップディスプレイ装置の縦断面図である。
【図６】図１のヘッドアップディスプレイ装置の表示を示すコンバイナの正面図である。
【発明を実施するための形態】
【００１０】
以下、本実施の形態を、図面を用いて詳細に説明する。
図１〜図６は、この実施の形態を説明するためのものである。
なお、以下の説明で、前後左右は、車両前後方向および車幅方向を基準としている。また、手前側および奥側は、車両前方を向いた乗員を基準としたものである。
【実施例１】
【００１１】
＜構成＞以下、この実施例の構成について説明する。
図１の後方から見た外観図または図２の断面図に示すように、自動車などの車両には、車室１内の前部に、フロントウインドウガラス２が設けられている。このフロントウインドウガラス２の下方には、インストルメントパネル３が設けられている。
【００１２】
そして、車両に対して、ヘッドアップディスプレイ装置４を取付ける。このヘッドアップディスプレイ装置４は、表示装置５（図２参照）の表示６を前方に投影させるようにしたものである。
【００１３】
この実施例では、ヘッドアップディスプレイ装置４の設置構造（ヘッドアップディスプレイ設置構造）は、ヘッドアップディスプレイ装置４を、上記したインストルメントパネル３の内部に設置するものとされる。そして、ヘッドアップディスプレイ装置４の内部に設けられた表示装置５の表示６（表示情報）をインストルメントパネル３に形成された開口部７（図２参照）を通して、開口部７の上方に投影させるようにする。この実施例では、後述するようなコンバイナ８に投影させるようにしている。
【００１４】
ここで、インストルメントパネル３の運転席側の部分には、計器装置（メータユニット９）やステアリングホイール（ハンドル）などが設置されている。この場合には、右ハンドル車とされているが、左ハンドル車であっても良い。
【００１５】
ヘッドアップディスプレイ装置４は、上記したように、正面を向いて運転している乗員の視界内（のメータユニット９よりも高い位置）に、運転に必要な情報を表示させるようにしたものである。表示装置５は、情報を表示するための装置である。この実施例で使用する表示装置５については後述する。開口部７は、表示装置５の表示６を通すために、インストルメントパネル３の乗員側の部分における、ヘッドアップディスプレイ装置４の設置位置の上部に予め形成される。
【００１６】
このヘッドアップディスプレイ装置４は、図３〜図５に示すようなものであり（主に、図４の分解斜視図を参照）、表示装置５を収容するケーシング１１と、このケーシング１１の上端側の開口に設置される枠状のフィニッシャー１２と、このフィニッシャー１２の上部に設置されるコンバイナ８と、ケーシング１１の下端側の開口に取付けられるカバー部材１３（底部カバー）で主に構成されている。
【００１７】
この場合、表示装置５は、ほぼ上向きの真っ直ぐな光路によってコンバイナ８へ表示６を直接投影させるようにするために、ケーシング１１の底部に上向きに設置されている。これにより、ケーシング１１内の光路を短くして、ケーシング１１の小型化や構造簡略化を図ることができる。ケーシング１１は、前後左右の側壁部（即ち、前壁部１１ａ、後壁部、左壁部、右壁部）を有する平面視ほぼ横長矩形状の中空筒体などとされる。
【００１８】
コンバイナ８は、表示装置５の表示６を投影させるための反射板である。コンバイナ８は、投影された表示装置５の表示６を、コンバイナ８と表示装置５の間の距離の分だけコンバイナ８の前方側の位置（奥方）に虚像を結像させて視認させるものとなっている（図２参照）。なお、コンバイナ８の角度は、表示装置５のほぼ上向きに設置された表示面と、前方に結像されるほぼ縦向きの表示６の中間の角度に設定される。また、表示装置５の表示６は、コンバイナ８に前後反転して投影されることになる。
【００１９】
コンバイナ８は、熱に強い樹脂製またはガラス製の平坦な板状のものとして、フロントウインドウガラス２とは別に設けられる。コンバイナ８は、その反射面に、高価なハーフミラーや多層膜誘電体などの増反射膜を施して表面反射率を３０％〜６０％程度に上げるのが一般的である。これに対し、この場合には、増反射膜などを施さないことで表面反射率を低いまま（例えば、７％程度）にしている。
【００２０】
この場合、図６に示すように、コンバイナ８は、好ましくは、黒色板または黒色系スモーク板などとされる。この黒色板は、光透過率が０％またはこれに近いものとされる。黒色系スモーク板は、無色透明ではないものとされる。なお、コンバイナ８には、無色透明のものなどを使用することもできる。この場合には、上記した増反射膜などを施すようにするのが好ましい。
【００２１】
フィニッシャー１２は、ヘッドアップディスプレイ装置４をインストルメントパネル３の開口部７内へ上方から挿入することで、開口部７の縁部を覆い隠すように設置される。そのために、フィニッシャー１２は、開口部７よりも一回り大きなものとされると共に、その下面側に、インストルメントパネル３の曲面形状に合わせた３次元形状の合わせ部分（下縁部）を有するものとされる。
【００２２】
カバー部材１３は、ケーシング１１とは別体に設けられて、ケーシング１１の底壁部を構成するように設置される。この場合には、カバー部材１３は、表示装置５を構成する文字板２３や回路基板２４やランプハウジング２５を一体に組付けた状態にして（表示ユニット）、ケーシング１１に一度に取付けるものとされている。
【００２３】
そして、図６の表示例に示すように、上記した表示装置５は、数値によって車速やエンジン回転数などを表示可能な数値表示部１５や、複数の目盛などによって燃料残量や目標までの距離などを表示可能な目盛表示部１６や、矢印などによって走行経路を表示可能な経路表示部１７などを有するものとされる。この場合には、表示装置５に、画像を表示する表示パネルではなく、意図的に、セグメント型表示部１８（図４、図５参照）を用いるようにしている。
【００２４】
このセグメント型表示部１８は、図４、図５に示すように、複数の表示形成部２１（いわゆるセグメント）を組合わせて、複数種類の表示６を作り出せるようにしたものである。セグメント型表示部１８またはこれと同等な表示装置５には、蛍光管式のものや、セグメント型液晶パネルやパッシブマトリクス型液晶パネルなどが存在している。この場合には、上記したものと比べて安価となり、また、コストをかけずに輝度を高くできるものとして、セグメント型表示部１８に、複数の光源２２（図４参照）と、複数の光源２２からの光を透過させる複数の表示形成部２１を有する文字板２３を用いるようにしている。光源２２は、点灯によって複数の表示形成部２１をそれぞれ個別に表示させるもの（個別光源）とされる。
【００２５】
例えば、数値表示部１５の場合、表示形成部２１は、数字の「８」字状に配置された７つのセグメントによって構成することができる（７セグメント型表示器）。目盛表示部１６の場合、表示形成部２１は、複数のセグメントを連続してバーグラフ状などに並べることによって構成することができる。例えば、図６の表示例では複数のセグメントを並べて、省エネ運転状況を示すようにしている。経路表示部１７の場合、点や線や矢印状をしたセグメントを適宜配置することによって各種の走行経路を表示可能にしたものとすることができる。表示形成部２１は、上記以外のもの（例えば、漢字やアルファベットによる表記（例えば、ｋｍ／ｈ）など）を含むこともできる。
【００２６】
光源２２には、ＬＥＤ（発光ダイオード）が用いられる。ＬＥＤは、回路基板２４に取付けるようにして設置される。回路基板２４には、輝度調整のために、高輝度光源２５ａなどを部分的に取付けるようにしても良い。回路基板２４と文字板２３の間には、回路基板２４の上面と文字板２３の下面に対して密着するようにランプハウジング２５が設置される。このランプハウジング２５には、各光源２２ごとに独立した複数の導光用孔部２５ａや、文字板２３に対する当接面２８などが形成される。このランプハウジング２５は、例えば、反射率の高い滑らかな表面を有する白色樹脂によって構成される。
【００２７】
表示形成部２１は、上記した各種の表示６を形成できるようにするために、文字板２３に複数設けられた光透過部とされる。表示形成部２１は、その表示目的や表示内容に応じて、（個別にまたは全体的に）無色透明のものとしたり、有色透明のものとしたりすることができる。表示形成部２１は、各導光用孔部２５ａと合致する位置に形成される。文字板２３は、例えば、透明な樹脂製の板に、表示形成部２１を残して不透光性の印刷層を形成したものとされる。
【００２８】
以上のような全体的な構成に対し、この実施例では、以下のような構成を備えるようにしている。
（１）図２、図５に示すように、上記表示装置５が、水平に対し、上面に載った異物を排除できる角度３１を有して傾斜配置されるようにする。
【００２９】
ここで、異物とは、表示装置５の表面に載ったゴミやホコリのことである。または、表示装置５の表面に落ちた物のことである。水平に対して傾けたとは、表示装置５（の表示面となる文字板２３）の上面（表示面）が水平方向を基準として、前傾、後傾、右傾、左傾、または、これらを組合わせた方向のいずれかに傾斜されることである。この場合には、表示装置５は、表示６の向きとの関係で、車両前後方向を基準として前傾（前下り）または後傾（後下り）にしている（この場合には、前傾させている）。
【００３０】
この場合、表示装置５の傾きは、表示６を縦向きに投影するためのものではなく、表示装置５の表面に載ったゴミやホコリや落ちた物などの異物を安定させないようにするためのものとされる（異物排除用傾斜角度）。或いは、表示装置５の表面に載った異物を車両の走行振動を利用して傾斜の下側へ移動させ得るようにするためのものとされる。この異物排除用傾斜角度については、表示６をコンバイナ８に直接投影させるようにした表示装置５で表示６を縦向きに投影させる場合の、表示装置５の通常の設置角度よりも大きくなるようにする（例えば、水平方向に対して１５°〜４５°など）。そして、このような異物排除用傾斜角度を付けることによってコンバイナ８に投影される表示６の向きに影響が生じるが、表示６の向きについては、コンバイナ８の角度設定によって縦向きとなるように調整する。
【００３１】
（２）図６の表示例に示すように、上記表示装置５が、警告表示部３３を有する。
そして、この警告表示部３３が、傾斜された上記表示装置５の上側となる位置に配置される。
【００３２】
ここで、例えば、表示装置５の車両後方側を高くして前傾させた場合には、警告表示部３３は、車両後方側の位置に設けられる。また、表示装置５の車両前方側を高くして後傾させた場合には、警告表示部３３は、車両前方側の位置に設けられる。この場合、警告表示部３３は、図４に示すように、前傾にした文字板２３の車両後方側の位置に設けて、表示６の上側に投影されるようにしている。
【００３３】
（３）上記したように、上記表示装置５が、ケーシング１１内に収容設置される。
そして、図２に示すように、このケーシング１１が、上記インストルメントパネル３内に前傾状態で配置されることにより、上記表示装置５が傾斜配置されるようにする。
【００３４】
ここで、表示装置５は、基準となる文字板２３が、ケーシング１１の底壁部となるカバー部材１３に対してほぼ平行となるように設置されている。よって、ケーシング１１の底壁部が文字板２３と同じ角度３１に傾斜されている。但し、表示装置５は、ケーシング１１の底壁部と必ずしも平行にしなくても良い。
【００３５】
（４）更に、図２に示すように、前傾されたケーシング１１の前壁部１１ａが、ケーシング１１の前側に配設された空調ダクト３９へ向けて寄り掛かるかのように傾斜するダクト添設用傾斜面とされる。
【００３６】
ここで、空調ダクト３９は、運転席の側部へ向けて空調風を送給するためのサイドベンチレータダクトなどとされる。この場合、サイドベンチレータダクトは、ほぼ円形断面のものとされて、ほぼ車幅方向へ向けて延設される。この空調ダクト３９に対し、ダクト添設用傾斜面は、空調ダクト３９の後ろ斜め上側の部分に対して寄りかかるように傾斜された状態で設置される。この際、空調ダクト３９と直接接触して異音などを発生しないように、ダクト添設用傾斜面は、空調ダクト３９に対して所要の隙間３４を有して傾斜配置される。この隙間３４は、異音発生防止用空間となると共に、放熱用空気通路となるものである。
【００３７】
（５）前傾されたケーシング１１の底壁部（カバー部材１３）が、その下側に電子ユニット３５を設置可能な電子ユニット設置用傾斜面３６とされる。
【００３８】
ここで、電子ユニット設置用傾斜面３６の下側に形成される空間（電子ユニット設置用空間）に設置される電子ユニット３５は、電子ユニット設置用傾斜面３６の配置や大きさなどから、例えば、盗難防止装置などとすることができる。電子ユニット設置用傾斜面３６と電子ユニット３５との間には、放熱用空気通路などが形成される。
【００３９】
（６）上記開口部７に、上記表示装置５の表示６を投影するコンバイナ８が開閉可能に設けられる。
【００４０】
ここで、コンバイナ８は、固定式のものとすることができるが、この場合には、ヘッドアップディスプレイ装置４の使用時に開口部７を開き、ヘッドアップディスプレイ装置４の不使用時に開口部７を閉じるものとされる。開口部７は、この場合には、開口部７に取付けられた枠状のフィニッシャー１２の開口とされる。そして、コンバイナ８は、その前縁部またはその周辺を開閉中心としてフィニッシャー１２の開口を（前開きに）開閉するように取付けられる。コンバイナ８は、ケーシング１１の内部に設置された開閉駆動装置３７によって開閉駆動される。この開閉駆動装置３７には、ステッピングモータなどを使用することができる。
【００４１】
＜作用効果＞この実施例によれば、以下のような作用効果を得ることができる。
【００４２】
この実施例のヘッドアップディスプレイ装置４は、表示装置５の表示６を、インストルメントパネル３に形成された開口部７を通して、開口部７の上方に配設されたコンバイナ８に投影させ、コンバイナ８の前方に虚像を結像させることで、乗員に表示６を視認させるようになっている。
このように、ヘッドアップディスプレイ装置４を用いて、運転中の乗員の視界内に情報を表示させることで、乗員は、視線移動や目の焦点調整をほとんど行うことなく表示された情報を得ることができる。
【００４３】
（１）この際、表示装置５を、水平に対し、上面に載った異物を排除できる角度３１（異物排除用傾斜角度）を有して傾斜配置させた。これにより、インストルメントパネル３に形成された開口部７が開いたままの状態で使用されるヘッドアップディスプレイ装置４の場合に、インストルメントパネル３に形成された開口部７からゴミやホコリや物などの異物が入って表示装置５の上に載っても、これらの異物が表示装置５の上に安定して載っていられない状態となる。そして、ヘッドアップディスプレイ装置４に車両の走行振動が作用されることで、上記した異物は、自重と走行振動によって徐々に表示装置５の傾斜の下側へと移動され、少なくとも、表示装置５の表示６の中心部の位置から外れるようになるので、表示装置５の表示６が異物によって妨げられ難くなるようにすることができる。そして、表示装置５に上記した角度３１を持たせることにより、ゴミやホコリについては、表示装置５の傾斜の下側へ集めて除去することが容易となる。また、落ちた物については、自重で表示装置５の傾斜の下側へ向けて移動することで落ちた物の位置が定まるので、落ちた物を表示装置５から取り出し易くすることができる。
【００４４】
（２）この際、警告表示部３３を、傾斜された表示装置５の上側となる位置に配置するようにした。これにより、警告表示部３３を、開口部７からケーシング１１の内部に入ったゴミやホコリや物などの異物によって最も隠され難いものとすることができ、他の表示６と比べて警告表示部３３に対する視認性を高くすることができる。以って、安全性の確保にとって重要な表示６に対する注意喚起機能を高めて、見逃し難くすることができる。
【００４５】
（３）ケーシング１１を前傾状態に配置することで、ケーシング１１内の表示装置５を一緒に傾斜させるようにした。これにより、インストルメントパネル３内にケーシング１１を斜めに設置するだけで、同時に表示装置５を必要な角度３１に傾斜して配置することができるようになるので、表示装置５の傾斜配置を容易に行わせることができる。
【００４６】
（４）また、前傾されたケーシング１１の前壁部１１ａをダクト添設用傾斜面として、ケーシング１１の前側に配設された空調ダクト３９へ向けて寄り掛かるかのようにケーシング１１を傾斜させた。これにより、ケーシング１１が、空調ダクト３９の外形に添うような傾斜配置となるので、インストルメントパネル３の内部に無理なくヘッドアップディスプレイ装置４を収容設置することが可能となる。その結果、インストルメントパネル３内部の狭いスペースに対して、ヘッドアップディスプレイ装置４をスペース効率良く設置することが可能となる。
【００４７】
この際、ケーシング１１を空調ダクト３９に直接接触しないように所要の隙間３４を有して配置することにより、ケーシング１１と空調ダクト３９との接触による異音の発生を防止することができる。
【００４８】
更に、ケーシング１１を垂直に設置した場合、ケーシング１１の水平な底壁部によってインストルメントパネル３内での空気の流れが妨げられ易くなって、ヘッドアップディスプレイ装置４の光源２２が発した熱が籠ってしまうおそれがあるのに対し、インストルメントパネル３内でケーシング１１を前傾させることによって、斜めとなった前上がりの前壁部１１ａに沿って下方から上方へ抜ける空気の流れを発生させることができるようになる（図２の矢印ｘ参照）。そして、この空気の流れによって、ヘッドアップディスプレイ装置４の光源２２が発した熱などを放熱し易くすることができる。
【００４９】
（５）前傾されたケーシング１１の斜めの底壁部（カバー部材１３）を電子ユニット設置用傾斜面３６とした。これにより、インストルメントパネル３内部の狭いスペースに対して、電子ユニット設置用傾斜面３６の下側に、電子ユニット３５を設置するためのスペースを確保することが可能となる。
【００５０】
また、インストルメントパネル３内部で、ケーシング１１を前傾させることによって、斜めとなった後ろ上がりの底壁部に沿って下方から上方へ抜ける上記とは別の空気の流れを発生させることができるようになる（図２の矢印ｙ参照）。そして、この空気の流れによって、ヘッドアップディスプレイ装置４の光源２２が発した熱などを放熱し易くすることができる。
【００５１】
（６）コンバイナ８が、開口部７（この場合には、フィニッシャー１２の開口）を開閉するように設けられた。これにより、ヘッドアップディスプレイ装置４を使用しない時には、コンバイナ８を下方回動させて開口部７を閉じることで、開口部７の内側へゴミやホコリや物などの異物が入るのを防止することができると共に、ヘッドアップディスプレイ装置４を使用する時には、コンバイナ８を上方回動させて開口部７を開くことで、表示装置５の表示６を開口部７を通してコンバイナ８に投影させることができる。これにより、開口部７に常設の防塵カバーなどを設ける必要をなくすことができ、その分、部品点数を減らすことが可能となる。
【００５２】
以上、この発明の実施例を図面により詳述してきたが、実施例はこの発明の例示にしか過ぎないものである。よって、この発明は実施例の構成にのみ限定されるものではなく、この発明の要旨を逸脱しない範囲の設計の変更等があってもこの発明に含まれることは勿論である。また、例えば、各実施例に複数の構成が含まれている場合には、特に記載がなくとも、これらの構成の可能な組合せが含まれることは勿論である。また、複数の実施例や変形例がこの発明のものとして開示されている場合には、特に記載がなくとも、これらに跨がった構成の組合せのうちの可能なものが含まれることは勿論である。また、図面に描かれている構成については、特に記載がなくとも、含まれることは勿論である。更に、「等」の用語がある場合には、同等のものを含むという意味で用いられている。また、「ほぼ」「約」「程度」などの用語がある場合には、常識的に認められる範囲や精度のものを含むという意味で用いられている。
【符号の説明】
【００５３】
１    車室
２    フロントウインドウガラス
３    インストルメントパネル
４    ヘッドアップディスプレイ装置
５    表示装置
６    表示
７    開口部
１１    ケーシング
１１ａ  前壁部（ダクト添設用傾斜面）
１３  カバー部材（底壁部）
２３  文字板
３３  警告表示部
３５  電子ユニット
３６  電子ユニット設置用傾斜面（カバー部材の底壁部）
３９  空調ダクト
【図１】
0006341866.tif 000002
【図２】
0006341866.tif 000003
【図３】
0006341866.tif 000004
【図４】
0006341866.tif 000005
【図５】
0006341866.tif 000006
【図６】
0006341866.tif 000007